(57)【要約】【課題】簡単な構造で製造が容易な長寿命のセルスタック及びその製法並びに燃料電池を提供する。【解決手段】ガス通過孔３４を有する複数の固体電解質型燃料電池セル３３と、該固体電解質型燃料電池セル３３のガス通過孔３４にガスを供給するためのガスタンク５０とを収納容器３１内に収納してなるとともに、固体電解質型燃料電池セル３３の一端部をセラミック製のセル支持板５０ａに一体的に接合固定し、該セル支持板５０ａでガスタンク５０の天板を構成せしめてなる。【選択図】図３
2004063355.tif 000002
【特許請求の範囲】
【請求項１】
ガス通過孔を有する複数の固体電解質型燃料電池セルと、該固体電解質型燃料電池セルのガス通過孔にガスを供給するためのガスタンクとを収納容器内に収納してなるとともに、前記固体電解質型燃料電池セルの一端部をセラミック製のセル支持板に一体的に接合固定し、該セル支持板で前記ガスタンクの天板を構成せしめてなることを特徴とする燃料電池。
【請求項２】
固体電解質型燃料電池セルが内側電極、固体電解質、外側電極を順次形成してなり、前記内側電極と電気的に接続されるインターコネクタが前記固体電解質型燃料電池セルの側面に露出して構成され、一方の固体電解質型燃料電池セルのインターコネクタと、他方の固体電解質型燃料電池セルの外側電極とが集電部材により電気的に接続されていることを特徴とする請求項１記載の燃料電池。
【請求項３】
固体電解質型燃料電池セルが、内側電極の外面に、該内側電極を取り巻くように環状の固体電解質を設け、該固体電解質の外面に、該固体電解質を取り巻くように環状の外側電極を設けてなり、一方の固体電解質型燃料電池セルの内側電極と他方の固体電解質型燃料電池セルの外側電極とが、セル支持板内部又はセル支持板のガスタンク側の面を介して電気的に接続されていることを特徴とする請求項１記載の燃料電池。
【請求項４】
固体電解質型燃料電池セルは扁平状であることを特徴とする請求項１乃至３のうちいずれかに記載の燃料電池。
【請求項５】
ガスタンク内には還元性燃料ガスが供給され、固体電解質型燃料電池セルのガス通過孔には前記ガスタンクからの還元性燃料ガスが供給されることを特徴とする請求項１乃至４のうちいずれかに記載の燃料電池。
【発明の詳細な説明】
【０００１】
【発明の属する技術分野】
本発明は、燃料電池に関し、特に、ガス通過孔を有する複数の固体電解質型燃料電池セルと、該固体電解質型燃料電池セルのガス通過孔にガスを供給するためのガスタンクとを収納容器内に収納してなる燃料電池に関するものである。
【０００２】
【従来技術】
次世代エネルギーとして、近年、固体電解質型燃料電池セルを収納容器内に複数収容した燃料電池が種々提案されている。固体電解質型燃料電池セルは、例えば、酸素側電極の表面に固体電解質、燃料側電極を順次形成して構成されており、燃料側電極側に燃料（水素）を流し、酸素側電極側に空気（酸素）を流して６００〜１０００℃程度で発電される。
【０００３】
固体電解質型燃料電池セルは、上記したように、２種のガスを用い、しかも高温に曝されるため、高温においてもガスが漏出しないように、ガスの供給管やセルにおけるシール性について種々の改良がなされている。例えば、特開平８−２８７９４０号公報には、収納容器内のガスタンクにガス供給管を気密に接続する構造が開示されており、ガスは燃料電池セル内にガス供給管により供給されている。燃料電池セルは、一般に収納容器内に配置された隔壁に支持固定されている。
【０００４】
【発明が解決しようとする課題】
しかしながら、上記した特開平８−２８７９４０号公報に開示された燃料電池では、ガス供給管をガスタンクにガス封止した状態で接続するとともに、燃料電池セル自体も隔壁に固定する必要があり、燃料電池セルの固定法が複雑であり、燃料電池自体が複雑化し、製造工程が多いという問題があった。
【０００５】
また、燃料電池セルやガス供給管を気密に隔壁やガスタンク等に接合する必要があり、封止が困難であるとともに、多数の燃料電池セル、ガス供給管毎に接合工程が必要であり、製造工程が多いという問題があった。
【０００６】
本発明は、簡単な構造で製造が容易な長寿命の燃料電池を提供することを目的とする。
【０００７】
【課題を解決するための手段】
本発明の燃料電池は、ガス通過孔を有する複数の固体電解質型燃料電池セルと、該固体電解質型燃料電池セルのガス通過孔にガスを供給するためのガスタンクとを収納容器内に収納してなるとともに、前記固体電解質型燃料電池セルの一端部をセラミック製のセル支持板に一体的に接合固定し、該セル支持板で前記ガスタンクの天板を構成せしめてなることを特徴とする。
【０００８】
このような燃料電池では、複数の固体電解質型燃料電池セルを所定間隔を置いて配置し、これらの燃料電池セルの一端部間にセラミック製接着剤を流し込み、これを加熱することにより、複数の燃料電池セルの一端部がセラミック製のセル支持板に一挙に、且つ気密に接合固定され、このセル支持板をガスタンクの天板に用いる燃料電池を製造できるため、従来のようなガス供給管が不要となり、また、燃料電池セルのガスタンクへの気密封止も簡単に行うことができ、製造工程を少なくすることができ、簡単な構造で製造が容易な長寿命の燃料電池を提供できる。
【０００９】
また、本発明の燃料電池は、固体電解質型燃料電池セルが内側電極、固体電解質、外側電極を順次形成してなり、前記内側電極と電気的に接続されるインターコネクタが前記固体電解質型燃料電池セルの側面に露出して構成され、一方の固体電解質型燃料電池セルのインターコネクタと、他方の固体電解質型燃料電池セルの外側電極とが集電部材により電気的に接続されていることを特徴とする。
【００１０】
このような燃料電池では、例えば作製した燃料電池セルが変形していた場合でも、対向する燃料電池セル間の間隔の制御が容易であり、また、集電部材を介装できるような間隔をおいて燃料電池セルの一端部を接合固定することもでき、さらには集電部材を燃料電池セル間に配置した状態で、燃料電池セルの一端部を接合固定することもでき、集電部材による複数の燃料電池セルの電気的接続を容易にかつ確実に行うことができる。
【００１１】
また、本発明の燃料電池は、固体電解質型燃料電池セルが、内側電極の外面に、該内側電極を取り巻くように環状の固体電解質を設け、該固体電解質の外面に、該固体電解質を取り巻くように環状の外側電極を設けてなり、一方の固体電解質型燃料電池セルの内側電極と他方の固体電解質型燃料電池セルの外側電極とが、セル支持板内部又はセル支持板のガスタンク側面を介して電気的に接続されていることを特徴とする。
【００１２】
このような燃料電池では、一方の燃料電池セルの内側電極と、他方の燃料電池セルの外側電極とを導電部材により接続した後、燃料電池セルの一端部間にセラミック製接着剤を流し込んでセラミック製のセル支持板に燃料電池セルを接合固定し、燃料電池セルを電気的に接続することができ、また、例えば、セル支持板に燃料電池セルを接合固定した後、セル支持板のガスタンク内側で、燃料電池セル同士を電気的に接続することができ、しかも、インターコネクタを形成する必要がないため製造が容易であり、また燃料電池セル全周で発電できるため発電量を向上でき、所定発電量当たりに必要となるセル数を減少させることができる。
【００１３】
また、本発明の燃料電池は、固体電解質型燃料電池セルは扁平状であることを特徴とする。このような燃料電池では、セルを大型化（幅を広く）して燃料電池セル１本当たりの発電量を増加できるが、このようにセルを大型化したとしても、所定量発電するために必要なスタック容積を従来よりも小さくでき、これにより燃料電池をコンパクト化できるとともに、必要とされる被加熱部容積を減少でき、起動時や定常運転時にセル加熱用として用いるエネルギーを最小限とでき、起動を早くできるとともに、発電効率を向上できる。
【００１４】
さらに本発明の燃料電池は、ガスタンク内には還元性燃料ガスが供給され、固体電解質型燃料電池セルのガス通過孔には前記ガスタンクからの還元性燃料ガスが供給されることを特徴とする。
【００１５】
このような燃料電池では、例えば、セル支持板のガスタンク内側で導電部材により燃料電池セルを電気的に接続する場合、ガスタンク内を流通する水素等の還元性燃料ガスにより、導電部材は金属化され、優れた電気導電性を維持できる。
【００１６】
【発明の実施の形態】
図１は、本発明の燃料電池の一形態を示すもので、符号３１は断熱構造を有する収納容器を示している。この収納容器３１の内部には、複数の燃料電池セル３３が集合したセルスタック３５と、燃料電池セル３３間に挿入される酸素含有ガス供給管３９と、セルスタック３５の上方に設けられた熱交換部４１とから構成されている。
【００１７】
収納容器３１は、耐熱性金属からなる枠体３１ａと、この枠体３１ａの内面に設けられた断熱材３１ｂとから構成されている。
【００１８】
セルスタック３５は、例えば、図２に示すように、複数の燃料電池セル３３を３列に整列させ、隣設した２列の最外部の燃料電池セル３３の電極同士が導電部材４２で接続され、これにより３列に整列した複数の燃料電池セル３３が電気的に直列に接続している。尚、図１では、複数の燃料電池セル３３を４列に整列させている。
【００１９】
具体的に説明すると、図２に示したように、燃料電池セル３３は扁平状であり、その内部には複数の燃料ガス通過孔３４が形成されている。この燃料電池セル３３は、楕円柱状（扁平状）の多孔質な金属を主成分とする燃料側電極３３ａの外面に、緻密質な固体電解質３３ｂ、多孔質な導電性セラミックスからなる酸素側電極３３ｃを順次積層し、酸素側電極３３ｃと反対側の燃料側電極３３ａの外面にインターコネクタ３３ｄを形成して構成されており、燃料側電極３３ａが支持体となっている。
【００２０】
即ち、燃料電池セル３３は、断面形状が、幅方向両端に設けられた弧状部Ａと、これらの弧状部Ａを連結する一対の平坦部Ｂとから構成されており、一対の平坦部Ｂは平坦であり、ほぼ平行に形成されている。これらの一対の平坦部Ｂは、燃料側電極３３ａの平坦部にインターコネクタ３３ｄ、又は固体電解質３３ｂ、酸素側電極３３ｃを形成して構成されている。
【００２１】
一方の燃料電池セル３３と他方の燃料電池セル３３との間には、金属フェルト、及び／又は金属板、導電性セラミックス等の導電性板からなる集電部材４３を介在させ、一方の燃料電池セル３３の燃料側電極３３ａを、該燃料側電極３３ａに設けられたインターコネクタ３３ｄ、集電部材４３を介して他方の燃料電池セル３３の酸素側電極３３ｃに電気的に接続して、セルスタック３５が構成されている。
【００２２】
複数の燃料電池セル３３の下端部は、図１及び図３に示すように、燃料ガスタンク５０の天板を構成するセラミック製のセル支持板５０ａに接合一体化されており、これにより燃料電池セル３３の下端部が燃料ガスタンク５０に接合され、立設している。尚、図１では、複数の燃料電池セル３３を４列に整列した状態で一つの燃料ガスタンク５０に接続固定した例について説明したが、セル列毎に燃料ガスタンクを設け、それぞれの燃料ガスタンクに列を構成する燃料電池セル３３を立設しても良い。
【００２３】
燃料電池セル３３の下端部の燃料ガスタンク５０への接続固定は、先ず、複数の燃料電池セル３３を、集電部材４３を介装するために要する間隔をおいて配置し、これらの燃料電池セル３３の下端部を、燃料ガスタンク５０の天板（セル支持板５０ａ）を形成する型枠内に収容し、この型枠内にアルミナ等を主成分とするセラミック製接着剤を流し込み、これを乾燥させ、加熱することにより、複数の燃料電池セル３３の一端部がセラミック製のセル支持板５０ａに一挙に、且つ気密に接合固定される。
【００２４】
従って、複数の燃料電池セル３３の一端部をセル支持板５０ａに一挙に接合一体化することができるとともに、例えば、燃料電池セル３３がセル製造工程で少々変形した場合でも、燃料電池セル３３をその平坦部Ｂ方向に揺動させた状態で接合一体化することにより、燃料電池セル３３の平坦部Ｂ間の距離をほぼ一定に調整することができ、例えば、金属板等の導電性板からなる集電部材４３を燃料電池セル３３間に容易に介装することができる。或いは、集電部材４３を複数の燃料電池セル３３の平坦部Ｂ間に介装した後、燃料電池セル３３の一端部をセル支持板５０ａと接合一体化しても良い。尚、図３では、集電部材４３の記載を省略し、燃料電池セル３３の構造も簡略化して記載した。
【００２５】
この燃料電池セル３３の一端部が接合一体化されたセル支持板５０ａは、例えばネジにより燃料ガスタンク５０を構成する側壁に螺着されたり、接着剤で接合一体化されたりして、燃料電池セル３３が燃料ガスタンク５０に立設される。尚、セル支持板５０ａを燃料ガスタンク５０の天板の上面に載置しても良い。この場合には、燃料電池セル３３のガス通過孔３４に連通する孔を、燃料ガスタンク５０の天板に形成する必要がある。
【００２６】
セル支持板５０ａは、燃料電池セル３３との乾燥収縮差、焼成収縮差、熱膨張係数差が小さい材料からなることが望ましい。乾燥および焼成収縮差が大きいと接合面剥離あるいはセルにクラックが生じるなどの不具合が生じ、気密性が損なわれる。また、熱膨張差が大きいと熱処理あるいは発電などの加熱、冷却時にセル支持板やセルの破壊が起こりやすく、セル支持板の熱膨張係数は１０〜１３ｐｐｍ／℃であることが望ましい。
【００２７】
空気がセラミック接着剤中に泡として残留すると破壊源となりやすいため、セラミック接着剤を流し込む際にはセラミック接着剤中から空気を除去することが望ましい。泡の除去は減圧あるいは振動を与えるなどの方法で行う。
【００２８】
乾燥時間の短縮、乾燥状態の均一化の観点からセラミック接着剤を流し込む型枠には石膏のような多孔質で通気性を有する材質が適している。この様な材質を用いることで乾燥時間の短縮が可能となり、また、クラックや反りを防止することができる。
【００２９】
また、さらに気密性、信頼性を向上させるためにセラミック接着剤を流し込む工程、乾燥、熱処理などの各々あるいは一連の工程を複数回繰り返すことも有効である。またその際に２回目以降の流し込みに用いるセラミック接着剤の粒子径、粘度を変化させたりすることも有効な手段である。あるいはガラスなどの高温で軟化流動する材質を用いコート剤として用いることも有効である。
【００３０】
燃料ガスタンク５０には、図１に示したように、燃料電池セル３３内部に燃料ガスを供給するための燃料ガス供給管５１が設けられている。
【００３１】
図４は、金属板、合金板、導電性セラミックス等の導電性板からなる集電部材４３を、燃料電池セル３３間に介在せしめたもので、集電部材４３は、矩形状板の一端部に複数のスリットを略平行に形成し、該スリット間の集電片４３ａを集電部材４３の両側に交互に突出させ、基部４３ｂの一端部に複数の集電片４３ａが形成された櫛歯形状とされ、複数の集電片４３ａが対向する燃料電池セル３３の外面にそれぞれ当接している。
【００３２】
即ち、集電片４３ａは、対向する燃料電池セル３３の平坦部Ｂであるインターコネクタ３３ｄと、酸素側電極３３ｃ間に配置され、燃料電池セル３３同士が直列に接続されている。平坦部Ｂに集電片４３ａが当接しているため確実に当接し、電気的接続を確実に行うことができる。また、複数の集電片４３ａはＡｇペーストを介在して燃料電池セル３３に接合している。このＡｇペーストは発電時に焼き付けられ、集電片４３ａと燃料電池セル３３のインターコネクタ３３ｄと酸素側電極３３ｃに接合し、これにより、集電片４３ａと燃料電池セル３３との電気的接続を十分にとることができる。集電片４３ａの幅は、集電特性を向上し、集電片４３ａ間に十分に酸素含有ガスを供給するという点から、２ｍｍ以下が望ましい。
【００３３】
これらの集電部材４３は、対向する燃料電池セル３３間に複数配置されており、対向する燃料電池セル３３間に基部４３ｂから挿入され、基部４３ｂが下に位置している。これらの集電部材４３は、導電性を有するＣｒ、Ｆｅを主成分とするフェライト系ステンレスの表面をＡｇからなる耐酸化性物質で被覆して構成されている。尚、集電部材４３は導電性を有する金属又は合金を主成分とするものの表面を耐酸化性物質で被覆したものであれば、上記したものに限定されるものではない。
【００３４】
対向する燃料電池セル３３間には、図５に示す集電部材４４を介在せしめても良い。図５に示す集電部材４４は、複数のスリットを略平行に形成し、その間の集電片４４ａを交互に集電部材４４の両側に突出させて形成された集電片４４ａ群を、長さ方向に所定間隔を置いて形成して構成し、基部４４ｂと集電片４４ａを交互に形成しても良い。図５に示すような集電部材４４では、図４の集電部材４３よりも燃料電池セル間への配置を簡単に行うことができる。
【００３５】
また、図５（ｃ）に示すように、複数の集電片４６ａ群を長さ方向に所定間隔を置いて形成し、一つの集電片４６ａ群において集電片４６ａを一つおきに一方の燃料電池セル３３の酸素側電極３３ｃ側に突出させて当接せしめ、その他の平坦な部分を他方の燃料電池セル３３のインターコネクタ３３ｄに当接せしめるようにしても良い。この場合、インターコネクタ３３ｄとの接合を十分に行うことができる。
【００３６】
酸素含有ガス供給管３９は、図１に示したように、その先端部が燃料電池セル３３間に位置している。
【００３７】
熱交換部４１は、熱交換器４１ａと、セルスタック３５に対向して設けられた酸素含有ガス収容室４１ｂとから構成されている。
【００３８】
熱交換器４１ａは、図６に示すように、平板６１と波板６３を交互に積層したプレートフィン型構造とされており、酸素含有ガス収容室４１ｂと連通する通路を形成する波板６３ａは、図６（ｂ）に示すように形成され、また、燃焼ガスの排出用の通路を形成する波板６３ｂは、図６（ｃ）に示すように形成されている。
【００３９】
燃焼ガスは、図１に一点鎖線で示したように熱交換器４１ａの下部側面から導入され、熱交換器４１ａの上方へ排出され、一方、酸素含有ガスは配管７３により、図１に破線で示したように熱交換器４１ａの上部側面から導入され、熱交換器４１ａの下方へ導かれ、酸素含有ガス収容室４１ｂ内に導入される。
【００４０】
酸素含有ガス収容室４１ｂは、図７に示すように、熱交換器４１ａの酸素含有ガスが導入される側の端面、即ちセルスタック側端面に設けられており、波板６３ａの各通路を通過した酸素含有ガスが一旦収容されるようになっている。
【００４１】
酸素含有ガス収容室４１ｂには、複数の酸素含有ガス供給管３９が連通している。
【００４２】
また、図１に示したように、酸素含有ガス収容室４１ｂの側面と断熱材３１ｂとの間、即ち酸素含有ガス収容室４１ｂの周囲は、燃焼ガスを熱交換器４１ａに導入する燃焼ガス導入口７１とされている。この燃焼ガス導入口７１を介して燃焼ガスが熱交換器４１ａの波板６３ｂの通路へ導出される。
【００４３】
以上のように構成された燃料電池では、外部からの酸素含有ガス（例えば空気）を配管７３により熱交換器４１ａに導入し、酸素含有ガス収容室４１ｂに導入し、酸素含有ガス供給管３９を介して燃料電池セル３３間に噴出させるとともに、燃料ガス（例えば水素）を、燃料ガス供給管５１、ガスタンク５０を介して燃料電池セル３３の燃料ガス通過孔３４内に供給し、燃料電池セル３３において発電させる。
【００４４】
発電に用いられなかった余剰の燃料ガスは燃料ガス通過孔３４の上端から噴出し、発電に用いれらなかった余剰の酸素含有ガスは燃料電池セル３３間を介して上方に噴出し、余剰の燃料ガスと余剰の酸素含有ガスを反応させて燃焼させ、燃焼ガスを発生させ、この燃焼ガスが燃焼ガス導入口７１を介して熱交換器４１ａに導出され、熱交換器４１ａの上端から排出される。
【００４５】
そして、本発明の燃料電池では、セルスタック３５を、複数の燃料電池セル３３をセル支持板５０ａに一挙に接合固定することにより作製でき、例えば、金属板等の導電性板からなる集電部材４３を燃料電池セル３３間に容易に介装でき、セルスタック３５を簡単な構造で容易に製造でき、これにより燃料電池も簡単な構造で容易に製造できる。さらに、燃料電池セル間の距離を自由に制御できるため、集電部材４３との電気的な接合を確実に確保でき、長寿命の燃料電池を得ることができる。
【００４６】
また、発電に寄与しなかった余剰の燃料ガスと酸素含有ガスが反応して燃焼し、この燃焼ガス及び外部の酸素含有ガスを熱交換器４１ａに導入し、この熱交換器４１ａで燃焼ガスと酸素含有ガスとの間で熱交換し、酸素含有ガスを予熱することができるため、燃料電池セル３３を加熱して実質的に発電するまでの起動時間を大幅に短縮できる。
【００４７】
さらに本発明では、セルスタック３５の上方に酸素含有ガス収容室４１ｂ、熱交換器４１ａが隣接して形成されているため、燃焼した高温の燃焼ガスを、配管等を用いることなく熱交換器４１ａに直接導入でき、簡単な構造で酸素含有ガスの予熱効率を大きくできる。
【００４８】
また、収納容器３１内で、燃焼ガスと酸素含有ガスとを熱交換できるため、酸素含有ガスの予熱を行うためのバーナーを別途設ける必要がなく、小型にでき、しかも燃焼ガスを有効利用できる。
【００４９】
さらに、熱交換器４１ａに酸素含有ガス収容室４１ｂを設けたので、熱交換器４１ａと酸素含有ガス供給管３９との接続を酸素含有ガス収容室４１ｂを介して行うことができ、熱交換器４１ａからの酸素含有ガスを燃料電池セル３３間に確実に供給できる。
【００５０】
尚、本発明は上記形態に限定されるものではなく、発明の要旨を変更しない範囲で種々の変更が可能である。例えば、上記形態では、図２に示したような楕円柱状で複数の燃料ガス通過孔３４を有する燃料電池セル３３を用いてセルスタック３５を構成した例について説明したが、燃料電池セルは円筒状で、燃料ガス通過孔が一つであっても良く、燃料電池セルの形状は特に限定されるものではない。
【００５１】
図８は、本発明の他の燃料電池を示すもので、この燃料電池では、燃料電池セル３３は、ガスが通過可能な内側電極（燃料側電極）３３ａの外面に、該内側電極３３ａを取り巻くように環状の固体電解質３３ｂを設け、該固体電解質３３ｂの外面に、該固体電解質３３ｂを取り巻くように環状の外側電極（酸素側電極）３３ｃを設けて構成されており、図２に示すようなインターコネクタは形成されておらず、燃料電池セル３３間の電気的な接続は燃料電池セル３３の下端部を介して接続されている。
【００５２】
即ち、燃料電池セル３３の一方側面に該当する平坦部Ｂでは、燃料電池セル３３のセル支持板のガスタンク内面側先端部まで外側電極３３ｃが形成され、他方側面に該当する平坦部Ｂでは、燃料電池セル３３のセル支持板側先端部以外に外側電極３３ｃが形成されている。
【００５３】
そして、燃料ガスタンク５０内で、一方の燃料電池セル３３端部の内側電極３３ａと、一方の燃料電池セル３３に隣設する他方の燃料電池セル３３端部の外側電極３３ｃが導電部材８６により電気的に接続されている。この導電部材８６は、セル支持板５０ａの燃料ガスタンク５０側の面に形成された金属から構成されており、導電部材８６は、燃料ガスタンク５０内の水素等の還元性ガスに曝されている。
【００５４】
燃料電池セル３３の軸長方向長さは、燃料電池セル３３の一端から電流が取り出されるため、内側電極３３ａ、外側電極３３ｃの電位降下が小さい方が良いが、一本当たりの発電量と電位降下との兼ね合いから決定される。即ち、燃料電池セル３３の軸長方向長さは短い程、電位降下は小さくなり、発電された電流を効果的に取り出すことができるが、燃料電池セル３３一本当たりの発電量が小さくなる。
【００５５】
このような燃料電池は、セル支持板５０ａを形成する型枠内に、導電部材８６を配置し、この導電部材８６上に、図８に示すような電気的接続となるように燃料電池セル３３を配置し、この後、セラミック製接着剤を型枠内に流し込み、これを乾燥させ、加熱することにより、複数の燃料電池セル３３の一端部がセラミック製のセル支持板５０ａに一挙に、且つ気密に接合固定されるとともに、複数の燃料電池セル３３が電気的に直列に接続される。
【００５６】
尚、図８では、複数の燃料電池セル３３の電気的接続を、セル支持板５０ａの燃料ガスタンク５０側面に形成された導電部材８６により行ったが、セル支持板内に形成された導電部材により電気的に接続しても良い。
【００５７】
また、熱交換器４１ａとしてプレートフィン型を用いたが、本発明ではこれに限定されるものではなく、それ以外の熱交換器を用いても良いことは勿論である。
【００５８】
さらに、ガスタンク５０自体をセラミック製とし、このセラミック製のガスタンクの天板に燃料電池セルの下端部を一体に接合固定することもできる。この場合には、より簡単に燃料電池を作製できる。
【００５９】
【発明の効果】
本発明の燃料電池では、複数の固体電解質型燃料電池セルを所定間隔を置いて配置し、これらの燃料電池セルの一端部間にセラミック製接着剤を流し込み、これを加熱することにより、複数の燃料電池セルの一端部がセラミック製のセル支持板に一挙に、且つ気密に接合固定され、このセル支持板をガスタンクの天板に用いる燃料電池を製造できるため、従来のようなガス供給管が不要となり、また、燃料電池セルのガスタンクへの気密封止も簡単に行うことができ、製造工程を少なくすることができ、簡単な構造で製造が容易な長寿命の燃料電池を提供できる。
【図面の簡単な説明】
【図１】本発明の燃料電池を示す説明図である。
【図２】図１のセルスタックを示す横断面図である。
【図３】燃料ガスタンクの天板をセル支持板とし、燃料ガスタンクに燃料電池セルを立設した状態を示す一部切欠斜視図である。
【図４】基部の一端部に複数の集電片が形成された櫛歯形状の集電部材を用いて、燃料電池セルを接続した状態を示すもので、（ａ）は側面図、（ｂ）は集電部材を示す斜視図である。
【図５】複数の集電片群を長さ方向に所定間隔を置いて形成して構成した集電部材を用いて、燃料電池セルを接続した状態を示すもので、（ａ）は側面図、（ｂ）は集電部材を示す斜視図、（ｃ）は集電片を一方側のみ突出させた集電部材を示す斜視図である。
【図６】図１の熱交換器の概念を説明するための図であり、（ａ）は熱交換器の斜視図、（ｂ）は酸素含有ガスの通路を形成するための波板を示す斜視図、（ｃ）は燃焼ガスの通路を形成するための波板を示す斜視図である。
【図７】本発明の熱交換部を説明するための斜視図である。
【図８】複数の燃料電池セルの下端部を導電部材により電気的に直列に接続した状態を示す一部切欠斜視図である。
【符号の説明】
３１・・・収納容器
３３・・・燃料電池セル
３３ａ・・・内側電極（燃料側電極）
３３ｂ・・・固体電解質
３３ｃ・・・外側電極（酸素側電極）
３３ｄ・・・インターコネクタ
３４・・・ガス通過孔
４３、４４、４６・・・集電部材
５０・・・燃料ガスタンク
５０ａ・・・セル支持板
【図１】
2004063355.tif 000003
【図２】
2004063355.tif 000004
【図３】
2004063355.tif 000005
【図４】
2004063355.tif 000006
【図５】
2004063355.tif 000007
【図６】
2004063355.tif 000008
【図７】
2004063355.tif 000009
【図８】
2004063355.tif 000010